(57)【要約】      （修正有）【課題】アイロンがけの作業能率を向上させると共に、耐久性に優れた業務用スチームアイロン装置を提供する。【解決手段】蒸気を発生しうるボイラー部２８と、上記ボイラー部との間に設けられたホースを介して供給された蒸気を使用するアイロン部２９とを備え、上記ホースは、アイロン部２９への蒸気供給用ホース部１１とアイロン部からの蒸気戻し用ホース部１２とからなるアイロン装置であって、蒸気供給用ホース部１１と蒸気戻し用ホース部１２とは中間部において単一のホース材１４内に収納されている。【選択図】図３
0003187957.tif 000002
【実用新案登録請求の範囲】
【請求項１】
蒸気を発生しうるボイラー部と、上記ボイラー部との間に設けられたホースを介して供給された蒸気を使用するアイロン部とを備え、上記ホースは、アイロン部への蒸気供給用ホース部とアイロン部からの蒸気戻し用ホース部とからなるアイロン装置であって、蒸気供給用ホース部と蒸気戻し用ホース部とは中間部において単一のホース材内に収納されていることを特徴とするアイロン装置。
【請求項２】
上記蒸気供給用ホース部と上記蒸気戻し用ホース部のアイロン部及びボイラー部との接続端部は、夫々別個のホースとしてホース材により分岐して形成され、上記蒸気供給用ホース部と上記蒸気戻し用ホース部のアイロン部との接続部においては、上記蒸気供給用ホース部の方が上記蒸気戻し用ホース部よりも長く形成されていることを特徴とする請求項１記載のアイロン装置。
【請求項３】
上記ホース材は折れ防止編み組みされたポリエステル材からなると共に、上記蒸気供給用ホース部と上記蒸気戻し用ホース部はテフロン（登録商標）製チューブ及びテフロン（登録商標）製チューブを被覆するポリアリレート繊維の被覆材とにより形成されていることを特徴とする請求項１又は２記載のアイロン装置。
【請求項４】
上記単一のホース材の端部と、上記別個のホースとして形成された接続端部との間は被覆布材により被覆されていることを特徴とする請求項２記載のアイロン装置。
【考案の詳細な説明】
【技術分野】
【０００１】
本考案は、アイロン装置に使用されるホースであって、特に業務用のスチームアイロン装置に関するものである。
【背景技術】
【０００２】
一般に、アイロン装置は、家庭で使用される家庭用アイロン装置とクリーニング業や縫製業で使用される業務用アイロン装置に区別され、今日では、コードレスアイロン装置や折りたたみ式アイロン装置、スチーム機能や温度調節機能等、多種多機能な電気式アイロン装置が主流となっている。
【０００３】
機能性を備えたアイロン装置が流通する一方で、アイロン装置を使用することに対し、面倒であることや、きれいにかけることが苦手であるという生活者が増加している。そのため、アイロンがけが必要のない衣服を購入する等、一般家庭でアイロン装置が使用される機会は少なく、また、生活者がクリーニング業を利用する機会は多い。
【０００４】
クリーニング業等で使用される業務用アイロン装置は、スチーム機能を備えたスチームアイロン装置が主流であり、アイロン部と蒸気を発生させるボイラー部が別個に設けられ、さらに、アイロン部とボイラー部との間で蒸気を循環させるホースからなる。
業務用スチームアイロン装置は、長時間及び長期間にわたり使用されるため、アイロンがけの作業能率が良く、かつ耐久性に優れた製品の開発が要請されている。
【０００５】
このような観点から、アイロンがけの作業能率を向上させたスチームアイロン装置として以下のような従来技術が存在する。例えば、特許文献１には、アイロン部と別個に設けた水タンクの水をアイロン部へ導く給水管と、アイロン部のヒータ回路に接続された電源電線を可撓性材料からなる被覆体により被覆して一体化させることで、給水管と電源電線の絡まりを防止すると共に、アイロン部の任意な動作が制約されることのない操作性に優れたスチームアイロン装置が開示されている。
【０００６】
特許文献２には、アイロン部と水タンクを別個に設け、アイロン部へ通電印加する電線と、水タンクからアイロン部へ送水する給水管は、スパイラル状に形成されると共に、電線と給水管を結合し伸縮自在とすることで、アイロン部の動作に合わせて伸縮自在に動くため、コード捌きの煩わしさがなく、かつ動かしやすくなることで、アイロンがけの作業性が向上するスチームアイロン装置が開示されている。
【０００７】
しかしながら、特許文献１及び２は、いずれも、給水管と電線の形状を変更することでアイロンがけ作業の能率を向上させることを目的とする点に止まっており、耐久性を持たせるという業務用アイロン装置に必須とされている、長期間使用のために耐久性を向上させることは不可能であった。
【特許文献１】特公平３−０７５１９５号公報
【特許文献２】特開昭５９−０７５０９５号公報
【考案の開示】
【考案が解決しようとする課題】
【０００８】
本考案は、このような従来からの不具合を解決するためのものであり、アイロンがけの作業能率を向上させると共に、耐久性に優れた業務用スチームアイロン装置を提供することにある。
【課題を解決するための手段】
【０００９】
上記課題達成のため、請求項１記載の考案にあっては、蒸気を発生しうるボイラー部と、上記ボイラー部との間に設けられたホースを介して供給された蒸気を使用するアイロン部とを備え、上記ホースは、アイロン部への蒸気供給用ホース部とアイロン部からの蒸気戻し用ホース部とからなるアイロン装置であって、蒸気供給用ホース部と蒸気戻し用ホース部とは中間部において単一のホース材内に収納されていることを特徴とする。
【００１０】
請求項２記載の考案にあっては、上記蒸気供給用ホース部と上記蒸気戻し用ホース部のアイロン部及びボイラー部との接続端部は、夫々別個のホースとしてホース材により分岐して形成され、上記蒸気供給用ホース部と上記蒸気戻し用ホース部のアイロン部との接続部においては、上記蒸気供給用ホース部の方が上記蒸気戻し用ホース部よりも長く形成されていることを特徴とする。
【００１１】
請求項３記載の考案にあっては、上記ホース材は折れ防止編み組みされたポリエステル材からなると共に、上記蒸気供給用ホース部と上記蒸気戻し用ホース部はテフロン（登録商標）製チューブ及びテフロン（登録商標）製チューブを被覆するポリアリレート繊維の被覆材とにより形成されていることを特徴とする。
【００１２】
請求項４記載の考案にあっては、上記単一のホース材の端部と、上記別個のホースとして形成された接続端部との間は被覆布材により被覆されていることを特徴とする。
【考案の効果】
【００１３】
請求項１記載の考案にあっては、アイロンへの蒸気供給用ホース部とアイロンからの蒸気戻し用ホース部は、中間部において単一のホース材内に収納されている。
したがって、上記蒸気供給用ホース部と上記蒸気戻し用ホース部は、常時一定状態に配置されることから、上記ホース同士が捩れることが防止される。その結果、使用者側で上記蒸気供給用ホース部と上記蒸気戻し用ホース部を、適宜の固定部材によりまとめることが不要となり、従来に比して、アイロンがけの際の操作性をより向上させることができる。また、上記ホース同士の捩れによる上記ホース部の剛性の劣化及び蒸気の循環効率の低下を防止することができるため、長時間または長期間にわたり能率良くアイロンがけ作業を行うことに適している。
【００１４】
また、上記ホース部を単一のホース材内に収納することで、業務用スチームアイロン装置自体がコンパクトになると共に、未使用時においては、体裁良く保管することができるため、良好な外観を保つことが可能である。
【００１５】
請求項２記載の考案にあっては、上記蒸気供給用ホース部と上記蒸気戻し用ホース部のアイロン部及びボイラー部との接続端部は、夫々別個のホースとしてホース材により分岐して形成され、上記蒸気供給用ホース部と上記蒸気戻し用ホース部のアイロン部との接続部においては、上記蒸気供給用ホース部の方が上記蒸気戻し用ホース部よりも長く形成されている。
また、一般的に、業務用スチームアイロン装置は、上記アイロン部と上記蒸気供給用ホース部との接続部は、上記アイロン部と上記蒸気戻し用ホース部との接続部の下方に配置されている。
したがって、上記業務用スチームアイロン装置を使用した際には、上記ホース材の接続部においても、上記ホース材の捩れることを防止することができる。その結果、請求項１記載の考案の効果と同様に、上記ホース材の剛性の劣化及び蒸気の循環効率の低下を防止することができるため、長時間または長期間にわたり能率良くアイロンがけ作業を行うことに適している。
【００１６】
請求項３記載の考案にあっては、上記ホース材は折れ防止編み組みされたポリエステル材からなる。
したがって、外装層にポリエステル材が編み組みされることにより、耐屈曲性、耐衝撃性が向上するため、上記ホース材は、しなやかさを有し、かつ折れにくいため耐久性に優れており、長期間使用することに適している。
さらに、空気層が形成されることにより、上記ホース材の表面温度を低下させることができるため、別途に断熱用ホースカバーを要することがない。そのため、断熱用ホースカバーに費やすコストを抑制し、かつ単純構造のスチームアイロン用ホースを製造することが可能となる。
【００１７】
また、上記蒸気供給用ホース部と上記蒸気戻し用ホース部はテフロン（登録商標）製チューブにより形成されている。
テフロン（登録商標）は、様々な特性を有する樹脂で、既知の物質に中で最も摩擦係数の小さい物質であり、耐候性及び非吸水性を有すると共に、耐熱性にも優れ、−８０℃〜２６０℃の広範囲で使用することができる。
さらに、非粘着性を有し、表面は滑りやすく物が付着しにくく、ほとんどの化学薬品や溶剤に侵されない耐薬品性を有すると共に、安定剤や酸化防止剤等を一切含まない高純度樹脂であり、金属イオンや有機炭素等の溶出がないため、耐久性に優れており、長期間使用することに適している。
【００１８】
また、上記テフロン（登録商標）製チューブは、ポリアリレート繊維により被覆されている。
したがって、耐衝撃性、耐磨耗性及び低吸水性を有しているため、耐久性に優れており、長期間使用することが可能となる。
【００１９】
請求項４記載の考案にあっては、上記単一のホース材の端部と、上記別個のホースとして形成された接続端部との間は被覆布材により被覆されている。
したがって、手で触れることが多く、比較的劣化しやすい上記端部と上記接続端部の間に、防塵及び防水性能を持たせることで、耐久性を持たせることができる。
【図面の簡単な説明】
【００２０】
【図１】本考案に係るアイロン装置を構成するホースの一実施形態を示す斜視図である。
【図２】本考案に係るアイロン装置を構成する蒸気供給用ホース部と蒸気戻し用ホース部とがホース材より分岐した構造の一実施形態を示す断面斜視図である。
【図３】本考案に係るアイロン装置の一実施形態を示す斜視図である。
【考案を実施するための最良の形態】
【００２１】
以下、添付図面に示す実施の形態に基づき、本考案を詳細に説明する。
図１は、本考案に係るアイロン装置（図示せず）を構成するホース１０の一実施の形態を示す斜視図である。
図１に示すように、本実施の形態に係るホース１０は、全体細長管状に形成されると共に、蒸気供給用ホース部１１と、蒸気戻し用ホース部１２とを備え、中間部１３において単一のホース材１４内に収納されている。
【００２２】
蒸気供給用ホース部１１のアイロン部（図示せず）との接続端部１５及び蒸気戻し用ホース部１２のアイロン部との接続端部１６は、単一のホース材１４から夫々別個のホース部１１、１２として分岐して形成されると共に、蒸気供給用ホース部１１のアイロン部との接続部１７は、蒸気戻し用ホース部１２のアイロン部との接続部１８に対し、長さ寸法が大きくなるように差異ｈが形成されている。
【００２３】
蒸気供給用ホース部１１のボイラー部（図示せず）との接続端部１９及び蒸気戻し用ホース部１２のボイラー部との接続端部２０は、アイロン部との接続端部１５、１６と同様に、単一のホース材１４から夫々別個のホース部１１、１２として分岐して形成されている。
【００２４】
ホース材１４の端部２１、２１と、接続端部１５、１６、１９、２０との間は、被覆布材２２により被覆されている。
被覆布材２２は、エチレンプロピレンゴムやシリコーンゴム等の素材が使用される。エチレンプロピレンゴムは、耐熱性及び耐水性を有するため、耐久性に優れており、かつ二重結合を持たない物質であることから耐オゾン性を有するため、大気中に放置した場合であっても製品表面が劣化することを防止することができる。
また、シリコーンゴムは、エチレンプロピレンゴムと同様に二重結合を持たない物質であることから耐オゾン性を有するため、大気中に放置した場合であっても製品表面が劣化することがなく、耐熱性、耐水性及び耐薬品性を有するため、耐久性に優れている。
【００２５】
本実施の形態にあっては、被覆布材２２は、ホース材１４の端部２１、２１から分岐部４３、４３及び接続端部１５、１６、１９、２０に設けられている。
【００２６】
各接続端部１５、１６、１９、２０の先端には、六角形状に形成された金属製のナット２３、２３、２３、２３が取付けられている。
【００２７】
図２は、本考案に係るアイロン装置（図示せず）を構成する蒸気供給用ホース部１１と蒸気戻し用ホース部１２とがホース材１４より分岐した構造の一実施の形態を示す断面斜視図である。
図２に示すように、ホース材１４は、外装層２４はポリエステル材により編み組みされている。
編組構造であるため、空気層２５が形成されることで、通気性が確保される。したがって、ホース材１４の表面温度を低い状態に維持することができると共に、軽量であるため、別途に断熱用ホースカバーを要することがなく、かつアイロンがけの際の操作性に優れている
さらに、ポリエステルは、ナイロンに次ぐ強度及び耐摩耗性を有するため、耐屈曲性、耐衝撃性が向上し、さらには、混紡させることで強度をより向上させることもできる。その結果、耐久性に優れ長期間使用することに適したアイロン装置（図示せず）を提供することができる。
【００２８】
また、ホース材１４に収納された蒸気供給用ホース部１１及び蒸気戻し用ホース部１２は、テフロン（登録商標）製チューブにより形成され、さらに、上記テフロン（登録商標）製チューブは、ポリアリレート繊維２６、２６により被覆されるようにして構成されている。
本実施の形態にあっては、ポリアリレート繊維２６、２６は、空気層を形成しない網目構造となるように被覆されている。
【００２９】
図３は、本考案に係るアイロン装置２７の一実施の形態を示す斜視図である。
図３に示すように、本考案に係るアイロン装置２７は、蒸気を発生しうるボイラー部２８と、蒸気を使用するアイロン部２９とを備え、ホース１４を介して接続されている。
ボイラー部２８は、水タンク３０と、蒸気を発生させる操作部３１と、蒸気供給用ホース部１１の接続端部１９及び蒸気戻し用ホース部１２の接続端部２０とが接続される接続部３２、３３とを備えていると共に、操作部３１は、電源部３４と蒸気噴出量調節部３５とを有している。
尚、ボイラー部２８は、蒸気を発生しうる装置であれば、水タンク３０の容量、接続部３２、３３、電源部３４及び蒸気噴出量調節部３５の配置等は、本実施の形態に限定されない。
【００３０】
アイロン部２９は、アイロン本体部３６と把持部３７と、蒸気供給用ホース部１１の接続端部１５が接続される接続部３８及び蒸気戻し用ホース部１２の接続端部１６が接続される接続部３９とを備えている。
【００３１】
接続部３８は、アイロン本体部３６の厚さ方向において反対方向に突出して形成される。接続部３９は、長さ方向一端部４０から全体略Ｌ字状に上向きに突出して形成されていると共に、側面部４１には、蒸気戻し操作部４２が設けられている。
このとき、接続部３８の位置Ｐは、接続部３９の位置Ｐ１よりもアイロン本体部３６の下方に配置される。
したがって、本実施の形態に係るアイロン装置２７を使用する際には、長く形成された蒸気供給用ホース部１１のアイロン部２９との接続端部１５を接続部３８に接続すると共に、蒸気戻し用ホース部１２のアイロン部２９との接続部１６を接続部３９に接続することで、長時間または長期間にわたり使用した際であっても、蒸気供給用ホース部１１、蒸気戻し用ホース部１２共に捩れることを防止することができる。
その結果、蒸気供給用ホース部１１及び蒸気戻し用ホース部１２の剛性の劣化及び蒸気の循環効率の低下を防止することができるため、能率良くアイロンがけ作業を行うことができる。
【００３２】
尚、本実施の形態に係るアイロン装置２７にあっては、業務用のスチームアイロン装置に使用されるホースの場合を例に説明したが、本実施の形態に限定されず、アイロン部と蒸気等の動力を発生させる動力部が別個に設けられ、かつアイロン部と動力部との間を複数本のホースからなる場合や家庭用アイロン装置等にも応用できる。
【産業上の利用可能性】
【００３３】
従って、本考案に係るスチームアイロン装置は、業務用として使用する上で必要不可欠な要素である耐久性を備え、長時間及び長期間にわたり能率よくアイロンがけ作業を行うことができるため、産業上の利用可能性を有している。
【符号の説明】
【００３４】
１０  スチームアイロン用ホース
１１  蒸気供給用ホース部
１２  蒸気戻し用ホース部
１３  中間部
１４  ホース材
１５  蒸気供給用ホース部のアイロン部との接続端部
１６  蒸気戻し用ホース部のアイロン部との接続端部
１７  蒸気供給用ホース部のアイロン部との接続部
１８  蒸気戻し用ホース部のアイロン部との接続部
１９  蒸気供給用ホース部のボイラー部との接続端部
２０  蒸気戻し用ホース部のボイラー部との接続端部
２１  ホース材の端部
２２  被覆布材
２３  ナット
２４  外装層
２５  空気層
２６  ポリアリレート繊維
２７  アイロン装置
２８  ボイラー部
２９  アイロン部
３０  水タンク
３１  操作部
３２  接続部
３３  接続部
３４  電源部
３５  蒸気噴出量調節部
３６  アイロン本体部
３７  把持部
３８  接続部
３９  接続部
４０  長さ方向一端部
４１  側面部
４２  蒸気戻し操作部
４３  分岐部
ｈ  差異
Ｐ  接続部の位置
Ｐ１  接続部の位置
【図１】
0003187957.tif 000003
【図２】
0003187957.tif 000004
【図３】
0003187957.tif 000005
【手続補正書】
【提出日】平成25年10月21日(2013.10.21)
【手続補正１】
【補正対象書類名】実用新案登録請求の範囲
【補正対象項目名】請求項３
【補正方法】変更
【補正の内容】
【請求項３】
上記ホース材は折れ防止編み組みされたポリエステル材からなると共に、上記蒸気供給用ホース部と上記蒸気戻し用ホース部はフッ素樹脂製チューブ及びフッ素樹脂製チューブを被覆するポリアリレート繊維の被覆材とにより形成されていることを特徴とする請求項１又は２記載のアイロン装置。
【手続補正２】
【補正対象書類名】明細書
【補正対象項目名】全文
【補正方法】変更
【補正の内容】
【考案の詳細な説明】
【技術分野】
【０００１】
本考案は、アイロン装置に使用されるホースであって、特に業務用のスチームアイロン装置に関するものである。
【背景技術】
【０００２】
一般に、アイロン装置は、家庭で使用される家庭用アイロン装置とクリーニング業や縫製業で使用される業務用アイロン装置に区別され、今日では、コードレスアイロン装置や折りたたみ式アイロン装置、スチーム機能や温度調節機能等、多種多機能な電気式アイロン装置が主流となっている。
【０００３】
機能性を備えたアイロン装置が流通する一方で、アイロン装置を使用することに対し、面倒であることや、きれいにかけることが苦手であるという生活者が増加している。そのため、アイロンがけが必要のない衣服を購入する等、一般家庭でアイロン装置が使用される機会は少なく、また、生活者がクリーニング業を利用する機会は多い。
【０００４】
クリーニング業等で使用される業務用アイロン装置は、スチーム機能を備えたスチームアイロン装置が主流であり、アイロン部と蒸気を発生させるボイラー部が別個に設けられ、さらに、アイロン部とボイラー部との間で蒸気を循環させるホースからなる。
業務用スチームアイロン装置は、長時間及び長期間にわたり使用されるため、アイロンがけの作業能率が良く、かつ耐久性に優れた製品の開発が要請されている。
【０００５】
このような観点から、アイロンがけの作業能率を向上させたスチームアイロン装置として以下のような従来技術が存在する。例えば、特許文献１には、アイロン部と別個に設けた水タンクの水をアイロン部へ導く給水管と、アイロン部のヒータ回路に接続された電源電線を可撓性材料からなる被覆体により被覆して一体化させることで、給水管と電源電線の絡まりを防止すると共に、アイロン部の任意な動作が制約されることのない操作性に優れたスチームアイロン装置が開示されている。
【０００６】
特許文献２には、アイロン部と水タンクを別個に設け、アイロン部へ通電印加する電線と、水タンクからアイロン部へ送水する給水管は、スパイラル状に形成されると共に、電線と給水管を結合し伸縮自在とすることで、アイロン部の動作に合わせて伸縮自在に動くため、コード捌きの煩わしさがなく、かつ動かしやすくなることで、アイロンがけの作業性が向上するスチームアイロン装置が開示されている。
【０００７】
しかしながら、特許文献１及び２は、いずれも、給水管と電線の形状を変更することでアイロンがけ作業の能率を向上させることを目的とする点に止まっており、耐久性を持たせるという業務用アイロン装置に必須とされている、長期間使用のために耐久性を向上させることは不可能であった。
【特許文献１】特公平３−０７５１９５号公報
【特許文献２】特開昭５９−０７５０９５号公報
【考案の開示】
【考案が解決しようとする課題】
【０００８】
本考案は、このような従来からの不具合を解決するためのものであり、アイロンがけの作業能率を向上させると共に、耐久性に優れた業務用スチームアイロン装置を提供することにある。
【課題を解決するための手段】
【０００９】
上記課題達成のため、請求項１記載の考案にあっては、蒸気を発生しうるボイラー部と、上記ボイラー部との間に設けられたホースを介して供給された蒸気を使用するアイロン部とを備え、上記ホースは、アイロン部への蒸気供給用ホース部とアイロン部からの蒸気戻し用ホース部とからなるアイロン装置であって、蒸気供給用ホース部と蒸気戻し用ホース部とは中間部において単一のホース材内に収納されていることを特徴とする。
【００１０】
請求項２記載の考案にあっては、上記蒸気供給用ホース部と上記蒸気戻し用ホース部のアイロン部及びボイラー部との接続端部は、夫々別個のホースとしてホース材により分岐して形成され、上記蒸気供給用ホース部と上記蒸気戻し用ホース部のアイロン部との接続部においては、上記蒸気供給用ホース部の方が上記蒸気戻し用ホース部よりも長く形成されていることを特徴とする。
【００１１】
請求項３記載の考案にあっては、上記ホース材は折れ防止編み組みされたポリエステル材からなると共に、上記蒸気供給用ホース部と上記蒸気戻し用ホース部はフッ素樹脂製チューブ及びフッ素樹脂製チューブを被覆するポリアリレート繊維の被覆材とにより形成されていることを特徴とする。
【００１２】
請求項４記載の考案にあっては、上記単一のホース材の端部と、上記別個のホースとして形成された接続端部との間は被覆布材により被覆されていることを特徴とする。
【考案の効果】
【００１３】
請求項１記載の考案にあっては、アイロンへの蒸気供給用ホース部とアイロンからの蒸気戻し用ホース部は、中間部において単一のホース材内に収納されている。
したがって、上記蒸気供給用ホース部と上記蒸気戻し用ホース部は、常時一定状態に配置されることから、上記ホース同士が捩れることが防止される。その結果、使用者側で上記蒸気供給用ホース部と上記蒸気戻し用ホース部を、適宜の固定部材によりまとめることが不要となり、従来に比して、アイロンがけの際の操作性をより向上させることができる。また、上記ホース同士の捩れによる上記ホース部の剛性の劣化及び蒸気の循環効率の低下を防止することができるため、長時間または長期間にわたり能率良くアイロンがけ作業を行うことに適している。
【００１４】
また、上記ホース部を単一のホース材内に収納することで、業務用スチームアイロン装置自体がコンパクトになると共に、未使用時においては、体裁良く保管することができるため、良好な外観を保つことが可能である。
【００１５】
請求項２記載の考案にあっては、上記蒸気供給用ホース部と上記蒸気戻し用ホース部のアイロン部及びボイラー部との接続端部は、夫々別個のホースとしてホース材により分岐して形成され、上記蒸気供給用ホース部と上記蒸気戻し用ホース部のアイロン部との接続部においては、上記蒸気供給用ホース部の方が上記蒸気戻し用ホース部よりも長く形成されている。
また、一般的に、業務用スチームアイロン装置は、上記アイロン部と上記蒸気供給用ホース部との接続部は、上記アイロン部と上記蒸気戻し用ホース部との接続部の下方に配置されている。
したがって、上記業務用スチームアイロン装置を使用した際には、上記ホース材の接続部においても、上記ホース材の捩れることを防止することができる。その結果、請求項１記載の考案の効果と同様に、上記ホース材の剛性の劣化及び蒸気の循環効率の低下を防止することができるため、長時間または長期間にわたり能率良くアイロンがけ作業を行うことに適している。
【００１６】
請求項３記載の考案にあっては、上記ホース材は折れ防止編み組みされたポリエステル材からなる。
したがって、外装層にポリエステル材が編み組みされることにより、耐屈曲性、耐衝撃性が向上するため、上記ホース材は、しなやかさを有し、かつ折れにくいため耐久性に優れており、長期間使用することに適している。
さらに、空気層が形成されることにより、上記ホース材の表面温度を低下させることができるため、別途に断熱用ホースカバーを要することがない。そのため、断熱用ホースカバーに費やすコストを抑制し、かつ単純構造のスチームアイロン用ホースを製造することが可能となる。
【００１７】
また、上記蒸気供給用ホース部と上記蒸気戻し用ホース部はフッ素樹脂製チューブにより形成されている。
フッ素樹脂は、様々な特性を有する樹脂で、既知の物質に中で最も摩擦係数の小さい物質であり、耐候性及び非吸水性を有すると共に、耐熱性にも優れ、−８０℃〜２６０℃の広範囲で使用することができる。
さらに、非粘着性を有し、表面は滑りやすく物が付着しにくく、ほとんどの化学薬品や溶剤に侵されない耐薬品性を有すると共に、安定剤や酸化防止剤等を一切含まない高純度樹脂であり、金属イオンや有機炭素等の溶出がないため、耐久性に優れており、長期間使用することに適している。
【００１８】
また、上記フッ素樹脂製チューブは、ポリアリレート繊維により被覆されている。
したがって、耐衝撃性、耐磨耗性及び低吸水性を有しているため、耐久性に優れており、長期間使用することが可能となる。
【００１９】
請求項４記載の考案にあっては、上記単一のホース材の端部と、上記別個のホースとして形成された接続端部との間は被覆布材により被覆されている。
したがって、手で触れることが多く、比較的劣化しやすい上記端部と上記接続端部の間に、防塵及び防水性能を持たせることで、耐久性を持たせることができる。
【図面の簡単な説明】
【００２０】
【図１】本考案に係るアイロン装置を構成するホースの一実施形態を示す斜視図である。
【図２】本考案に係るアイロン装置を構成する蒸気供給用ホース部と蒸気戻し用ホース部とがホース材より分岐した構造の一実施形態を示す断面斜視図である。
【図３】本考案に係るアイロン装置の一実施形態を示す斜視図である。
【考案を実施するための最良の形態】
【００２１】
以下、添付図面に示す実施の形態に基づき、本考案を詳細に説明する。
図１は、本考案に係るアイロン装置（図示せず）を構成するホース１０の一実施の形態を示す斜視図である。
図１に示すように、本実施の形態に係るホース１０は、全体細長管状に形成されると共に、蒸気供給用ホース部１１と、蒸気戻し用ホース部１２とを備え、中間部１３において単一のホース材１４内に収納されている。
【００２２】
蒸気供給用ホース部１１のアイロン部（図示せず）との接続端部１５及び蒸気戻し用ホース部１２のアイロン部との接続端部１６は、単一のホース材１４から夫々別個のホース部１１、１２として分岐して形成されると共に、蒸気供給用ホース部１１のアイロン部との接続部１７は、蒸気戻し用ホース部１２のアイロン部との接続部１８に対し、長さ寸法が大きくなるように差異ｈが形成されている。
【００２３】
蒸気供給用ホース部１１のボイラー部（図示せず）との接続端部１９及び蒸気戻し用ホース部１２のボイラー部との接続端部２０は、アイロン部との接続端部１５、１６と同様に、単一のホース材１４から夫々別個のホース部１１、１２として分岐して形成されている。
【００２４】
ホース材１４の端部２１、２１と、接続端部１５、１６、１９、２０との間は、被覆布材２２により被覆されている。
被覆布材２２は、エチレンプロピレンゴムやシリコーンゴム等の素材が使用される。エチレンプロピレンゴムは、耐熱性及び耐水性を有するため、耐久性に優れており、かつ二重結合を持たない物質であることから耐オゾン性を有するため、大気中に放置した場合であっても製品表面が劣化することを防止することができる。
また、シリコーンゴムは、エチレンプロピレンゴムと同様に二重結合を持たない物質であることから耐オゾン性を有するため、大気中に放置した場合であっても製品表面が劣化することがなく、耐熱性、耐水性及び耐薬品性を有するため、耐久性に優れている。
【００２５】
本実施の形態にあっては、被覆布材２２は、ホース材１４の端部２１、２１から分岐部４３、４３及び接続端部１５、１６、１９、２０に設けられている。
【００２６】
各接続端部１５、１６、１９、２０の先端には、六角形状に形成された金属製のナット２３、２３、２３、２３が取付けられている。
【００２７】
図２は、本考案に係るアイロン装置（図示せず）を構成する蒸気供給用ホース部１１と蒸気戻し用ホース部１２とがホース材１４より分岐した構造の一実施の形態を示す断面斜視図である。
図２に示すように、ホース材１４は、外装層２４はポリエステル材により編み組みされている。
編組構造であるため、空気層２５が形成されることで、通気性が確保される。したがって、ホース材１４の表面温度を低い状態に維持することができると共に、軽量であるため、別途に断熱用ホースカバーを要することがなく、かつアイロンがけの際の操作性に優れている
さらに、ポリエステルは、ナイロンに次ぐ強度及び耐摩耗性を有するため、耐屈曲性、耐衝撃性が向上し、さらには、混紡させることで強度をより向上させることもできる。その結果、耐久性に優れ長期間使用することに適したアイロン装置（図示せず）を提供することができる。
【００２８】
また、ホース材１４に収納された蒸気供給用ホース部１１及び蒸気戻し用ホース部１２は、フッ素樹脂製チューブにより形成され、さらに、上記フッ素樹脂製チューブは、ポリアリレート繊維２６、２６により被覆されるようにして構成されている。
本実施の形態にあっては、ポリアリレート繊維２６、２６は、空気層を形成しない網目構造となるように被覆されている。
【００２９】
図３は、本考案に係るアイロン装置２７の一実施の形態を示す斜視図である。
図３に示すように、本考案に係るアイロン装置２７は、蒸気を発生しうるボイラー部２８と、蒸気を使用するアイロン部２９とを備え、ホース１４を介して接続されている。
ボイラー部２８は、水タンク３０と、蒸気を発生させる操作部３１と、蒸気供給用ホース部１１の接続端部１９及び蒸気戻し用ホース部１２の接続端部２０とが接続される接続部３２、３３とを備えていると共に、操作部３１は、電源部３４と蒸気噴出量調節部３５とを有している。
尚、ボイラー部２８は、蒸気を発生しうる装置であれば、水タンク３０の容量、接続部３２、３３、電源部３４及び蒸気噴出量調節部３５の配置等は、本実施の形態に限定されない。
【００３０】
アイロン部２９は、アイロン本体部３６と把持部３７と、蒸気供給用ホース部１１の接続端部１５が接続される接続部３８及び蒸気戻し用ホース部１２の接続端部１６が接続される接続部３９とを備えている。
【００３１】
接続部３８は、アイロン本体部３６の厚さ方向において反対方向に突出して形成される。接続部３９は、長さ方向一端部４０から全体略Ｌ字状に上向きに突出して形成されていると共に、側面部４１には、蒸気戻し操作部４２が設けられている。
このとき、接続部３８の位置Ｐは、接続部３９の位置Ｐ１よりもアイロン本体部３６の下方に配置される。
したがって、本実施の形態に係るアイロン装置２７を使用する際には、長く形成された蒸気供給用ホース部１１のアイロン部２９との接続端部１５を接続部３８に接続すると共に、蒸気戻し用ホース部１２のアイロン部２９との接続部１６を接続部３９に接続することで、長時間または長期間にわたり使用した際であっても、蒸気供給用ホース部１１、蒸気戻し用ホース部１２共に捩れることを防止することができる。
その結果、蒸気供給用ホース部１１及び蒸気戻し用ホース部１２の剛性の劣化及び蒸気の循環効率の低下を防止することができるため、能率良くアイロンがけ作業を行うことができる。
【００３２】
尚、本実施の形態に係るアイロン装置２７にあっては、業務用のスチームアイロン装置に使用されるホースの場合を例に説明したが、本実施の形態に限定されず、アイロン部と蒸気等の動力を発生させる動力部が別個に設けられ、かつアイロン部と動力部との間を複数本のホースからなる場合や家庭用アイロン装置等にも応用できる。
【産業上の利用可能性】
【００３３】
従って、本考案に係るスチームアイロン装置は、業務用として使用する上で必要不可欠な要素である耐久性を備え、長時間及び長期間にわたり能率よくアイロンがけ作業を行うことができるため、産業上の利用可能性を有している。
【符号の説明】
【００３４】
１０  スチームアイロン用ホース
１１  蒸気供給用ホース部
１２  蒸気戻し用ホース部
１３  中間部
１４  ホース材
１５  蒸気供給用ホース部のアイロン部との接続端部
１６  蒸気戻し用ホース部のアイロン部との接続端部
１７  蒸気供給用ホース部のアイロン部との接続部
１８  蒸気戻し用ホース部のアイロン部との接続部
１９  蒸気供給用ホース部のボイラー部との接続端部
２０  蒸気戻し用ホース部のボイラー部との接続端部
２１  ホース材の端部
２２  被覆布材
２３  ナット
２４  外装層
２５  空気層
２６  ポリアリレート繊維
２７  アイロン装置
２８  ボイラー部
２９  アイロン部
３０  水タンク
３１  操作部
３２  接続部
３３  接続部
３４  電源部
３５  蒸気噴出量調節部
３６  アイロン本体部
３７  把持部
３８  接続部
３９  接続部
４０  長さ方向一端部
４１  側面部
４２  蒸気戻し操作部
４３  分岐部
ｈ  差異
Ｐ  接続部の位置
Ｐ１  接続部の位置